(57)【要約】【課題】個人情報を扱う介護認定審査会業務のＩＴ化を進めるにあたり、情報セキュリティを向上させて市役所と審査委員宅間ネットワーク通じて審査会資料や審査結果を伝送して、ペーパレスでの介護認定審査会の開催や予習を可能とすることで、利便性の向上と事務資源や審査会運用経費の使用を節減を可能として、地球環境保全に貢献をし、市民に介護認定審査会運用効率化と経費節減の結果を還元することが必要である。【解決手段】審査委員宅端末に介護認定審査会関係のデータを残さない構造や、文字や数値の転送を行わない構造、市役所と審査会委員宅端末間の相互認証暗号化を行う構造、市役所事務局サーバ上で介護認定審査会関係データの保存や介護認定審査会関係ソフトが動く一元集中管理が可能となる構造などから情報セキュリティが向上し、市役所と審査委員宅端末をネットワークで結び、在宅での審査会資料の予習や要介護認定審査会の開催を可能とする。【選択図】図１   
2005327148.tif 000002
【特許請求の範囲】
【請求項１】
介護保険制度における要介護認定審査会を開催するにあたり、市役所要介護認定審査会事務局サーバで各要介護認定審査会委員宅にある要介護認定審査会委員用端末とを結ぶネットワークを構築し、要介護認定審査会関係データ、ソフト及び要介護認定審査会委員用端末を要介護認定審査会事務局サーバで一元集中管理する。接続される要介護認定審査会委員用端末にはＷＷＷ（World Wide Web）ブラウザが搭載されており、要介護認定審査会資料の予習をする前や要介護認定審査会を開催するときに、要介護認定審査会委員が事前に市役所要介護認定審査会事務局サーバにアクセスして要介護認定審査会事務局サーバ上で実行表示された要介護認定審査会資料の画面データを各要介護認定審査会委員宅端末のＷＷＷ（World Wide Web）ブラウザに伝送し表示することで情報セキュリティが向上して在宅で要介護認定審査会資料の予習や要介護認定審査会の開催及び審査判定をすることができることを特徴とするネットワークを介した一元集中管理のできるリモートコントロール型要介護認定審査会支援システムである。
【請求項２】
介護保険制度における要介護認定審査会を開催するにあたり、市役所要介護認定審査会事務局サーバで各要介護認定審査会委員宅にある要介護認定審査会委員用端末とを結ぶネットワークを構築し、要介護認定審査会関係データ、ソフト及び要介護認定審査会委員用端末を要介護認定審査会事務局サーバで一元集中管理する。要介護認定審査会委員側端末から要介護認定審査会事務局サーバにアクセスする際は、要介護認定審査会委員毎に対応したユーザ名とパスワード認証を行う。また市役所要介護認定審査会事務局サーバと要介護認定審査会委員側端末間では、ＷＷＷ（World Wide Web）ブラウザに搭載された証明機関から発行されるデジタル証明書を利用して身元の確認を行った上で認証、暗号化、復号化を行うことで情報セキュリティが向上して在宅で要介護認定審査会資料の予習や要介護認定審査会の開催及び審査判定をすることができることを特徴とするネットワークを介した一元集中管理のできるリモートコントロール型要介護認定審査会支援システムである。
【請求項３】
介護保険制度における要介護認定審査会を開催するにあたり、市役所要介護認定審査会事務局サーバで各要介護認定審査会委員宅にある要介護認定審査会委員用端末とを結ぶネットワークを構築し、要介護認定審査会関係データ、ソフト及び要介護認定審査会委員用端末を要介護認定審査会事務局サーバで一元集中管理する。市役所要介護認定審査会事務局サーバから要介護認定審査会委員用端末に伝送される要介護認定審査資料データは文字や数値データではなく暗号化された要介護認定審査会事務局サーバ上の画面情報にすることで情報セキュリティが向上して在宅で要介護認定審査会資料の予習や要介護認定審査会の開催及び審査判定をすることができることを特徴とするネットワークを介した一元集中管理のできるリモートコントロール型要介護認定審査会支援システムである。
【請求項４】
介護保険制度における要介護認定審査会を開催するにあたり、市役所要介護認定審査会事務局サーバで各要介護認定審査会委員宅にある要介護認定審査会委員用端末とを結ぶネットワークを構築し、要介護認定審査会関係データ、ソフト及び要介護認定審査会委員用端末を要介護認定審査会事務局サーバで一元集中管理する。要介護認定審査会を開催するときや要介護認定審査会資料の閲覧の際にでる要介護認定審査会委員からのさまざまな疑問質問に対して要介護認定審査会委員宅に訪問又は電話で伝えたりする必要は無く、要介護認定審査会事務局用サーバを直接操作して要介護認定審査会委員側端末に表示や提示することで質疑応答できるような在宅で要介護認定審査会資料の予習や要介護認定審査会の開催及び審査判定をすることができることが特徴のネットワークを介した一元集中管理のできるリモートコントロール型要介護認定審査会支援システムである。
【請求項５】
介護保険制度における要介護認定審査会を開催するにあたり、市役所要介護認定審査会事務局サーバで各要介護認定審査会委員宅にある要介護認定審査会委員用端末とを結ぶネットワークを構築し、要介護認定審査会関係データ、ソフト及び要介護認定審査会委員用端末を要介護認定審査会事務局サーバで一元集中管理する。要介護認定審査会委員用端末には要介護認定審査会関係ソフトを搭載せず、要介護認定審査会委員宅側端末で操作される要介護認定審査会関係データの保存や要介護認定審査会関係ソフト操作の全てを市役所要介護認定審査会事務局サーバ上で実行することで、介護保険制度の改正や見直しによるプログラム修正については中心となる市役所要介護認定審査会事務局サーバを修正するのみですむ。また要介護認定審査資料の修正変更についても間違いなく同じものを各要介護認定審査会委員側端末に反映させられるので要介護認定審査会のペーパレス化を促進し在宅で要介護認定審査会資料の予習や要介護認定審査会の開催及び審査判定をすることができることが特徴のネットワークを介した一元集中管理のできるリモートコントロール型要介護認定審査会支援システムである。
【請求項６】
介護保険制度における要介護認定審査会を開催するにあたり、市役所要介護認定審査会事務局サーバで各要介護認定審査会委員宅にある要介護認定審査会委員用端末とを結ぶネットワークを構築し、要介護認定審査会関係データ、ソフト及び要介護認定審査会委員用端末を要介護認定審査会事務局サーバで一元集中管理する。紙ベースでの要介護認定審査会用資料では、予習のため事前に配布される要介護認定審査会用資料の置き忘れや盗難などにより要介護認定審査会関係情報が漏洩する恐れがあったが、要介護認定審査会委員側端末にはデータ記録保存装置やデータ取り出し装置を無くして各要介護認定審査会委員宅にある端末から要介護認定審査会関係情報が取り出すことも抽出することもできないようにすることで要介護認定審査会関連情報の漏洩を防ぐことができるため情報セキュリティが向上して在宅で要介護認定審査会資料の予習や要介護認定審査会の開催及び審査判定をすることができることが特徴のネットワークを介した一元集中管理のできるリモートコントロール型要介護認定審査会支援システムである。
【発明の詳細な説明】
【技術分野】
【０００１】
本発明は、市役所要介護認定審査会事務局サーバで各要介護認定審査会委員宅側端末や要介護認定審査会関係データ、ソフト及び一元集中管理し、要介護認定審査会資料の予習や要介護認定審査会の開催及び審査判定をするようなネットワークを介した一元集中管理のできるリモートコントロール型要介護認定審査会支援システムに関する。
【背景技術】
【０００２】
平成１２年４月より介護保険制度が導入され、要介護認定審査会における審査件数も人口の高齢化に伴い増加の一途をたどっている。そこで、要介護認定事務コストの節減と地球環境保全につながる省資源化を行うために、紙ベースの要介護認定審査会の運用をやめて、電子データを利用した要介護認定審査会を開催する必要性や、要介護認定審査会資料のペーパレス化の必要性から、省資源化をはかり要介護認定審査会運用のIT化を促進する方向で検討が重ねられている。
いままで要介護認定審査会委員宅にパソコンを設置して市役所サーバと結びパソコンを使って要介護認定審査会を開催することや事前に要介護認定審査会資料の予習を行う場合、以下のような問題があり、ネットワーク化はほとんど行われていなかった。
市役所サーバと要介護認定審査会委員宅パソコンとをインターネットなどを用いて接続し、要介護認定審査会資料用ソフトを用いて要介護認定審査会を開催することや事前に要介護認定審査会資料の予習を行うとすると、盗聴による個人情報漏洩防止のためのセキュリティ対策が必要である。
要介護認定審査会委員宅に要介護認定審査会資料用ソフトを配布するとした場合、介護保険制度の見直しが行われた場合に、要介護認定審査会予習資料用ソフトの修正を各要介護認定審査会委員宅のパソコンにするためには、修正ソフトを個別にパソコンにインストールすることが必要であり、修正対応に多くの時間や費用を要するため非効率的であった。
要介護認定審査会委員宅に予習用要介護認定審査会資料をフロッピィやMOなどの電子媒体で配布するとした場合にも、要介護認定審査会資料の入った電子媒体やパソコンを置き忘れた場合、盗まれた場合には、要介護認定審査会委員側のパソコンのハードディスクやフロッピィディスクなどから個人情報データが引き出されて要介護認定情報の漏洩する恐れがあった。
予習用要介護認定審査会資料が配布されたあとで要介護認定審査会資料に修正があった場合には修正された要介護認定審査会資料データのはいったフロッピィやMOなどの電子媒体を再配布するには大変な手間と時間と労力が必要となり非効率的であった。
これらの理由から、多くの自治体ではネットワーク化が行われず、市役所などの会議室で紙ベースの要介護認定審査会が開催され、予習用要介護認定審査会資料を配布する際にも紙ベースによる予習用要介護認定審査会資料でおこなうといった運用がされてきた。
また、今までに要介護認定審査会委員の端末と市役所要介護認定審査会事務局サーバを結んでネットワークを構築して要介護認定審査会の開催及び予習をする際には、審査会委員側端末に認定審査会データを転送し端末側で認定審査会関係ソフトを実行して、閲覧保存する認定審査会関係システムはあったが、本発明のように要介護認定審査会関係データ及びソフトを市役所要介護認定審査会事務局サーバ上で全て実行表示をし、要介護認定審査会委員の端末を一元集中管理できるような強固なセキュリティをもったリモートコントロール型要介護認定審査会支援システムはなかった。
【０００３】
【非特許文献１】「WINDOWS（登録商標） ＳＥＲＶＥＲ ２００３  システム構築ガイド、向山隆行上村浩二  著  ２００３年１２月  」
【発明の開示】
【発明が解決しようとする課題】
【０００４】
要介護認定審査会では、保健、医療、福祉分野の専門家が集まり合議体で議論を重ねた結果、要介護、要支援状態が審査判定されている。吟味された要介護認定審査会を開催するために、現状では、事前に紙ベースで予習用要介護認定審査会用資料を配布している。しかし、年間を通じての審査会資料にかかる紙の使用量、それにかかる経費は、要介護認定申請者数の増加と共に膨大な量に上ってきている。こうした状況に対応するため、各要介護認定審査会委員と要介護認定審査会事務局のネットワーク化が必要となり、市民の方々のため経費や事務資源を節減し、地球環境の負荷を軽減していくことが最重要課題となった。
そこで市役所要介護認定審査会事務局サーバと要介護認定審査会委員宅側端末を結んで要介護認定審査会を開催すること、及び事前に要介護認定審査会資料の予習をするためのネットワークを構築するには、個人情報を取り扱う上でのいくつかのセキュリティ問題を十分に検討し解消していく必要があった。
そのためには、まず要介護認定審査会委員宅側では要介護認定審査会資料の情報取り出し、持ち出しができない等、要介護認定審査会委員宅側端末に個人情報等の記録は一切残さない装置を使い情報漏洩がおこらないようにする仕組みが必要である。
また、要介護認定審査会委員用端末には、要介護認定審査会関係データは保存せず要介護認定審査会関係ソフトも搭載しないようにし、介護保険制度の改正や見直しによるプログラム修正については、ネットワークの中心となる市役所要介護認定審査会事務局サーバの修正のみですむ仕組みを作り、要介護認定審査会委員宅側端末を市役所サーバで一元集中管理することが必要である。
そしてネットワークで伝送される要介護認定審査会資料データにおいても市役所要介護認定審査会事務局サーバと要介護認定審査会委員宅側端末の相互認証や暗号化通信だけでなく、要介護認定審査会委員宅側端末で操作される要介護認定審査会関係データの保存や要介護認定審査会関係ソフトの操作全てを市役所要介護認定審査会事務局サーバ上で実行するような一括管理ができることが必要である。
このようにしてセキュリティを強固なものにして個人情報の漏洩を防ぐことで要介護認定審査会資料の予習や要介護認定審査会の開催及び審査判定をすることができるネットワークを構築することが必要となった。
【課題を解決するための手段】
【０００５】
本発明のネットワークを介した一元集中管理のできるリモートコントロール型要介護認定審査会支援システムは、
要介護認定審査会資料の予習や要介護認定審査会の開催及び審査判定をするために、市役所要介護認定審査会事務局サーバと要介護認定審査会委員側端末とを結ぶネットワークにはオープンなインターネットを経由しないネットワークを利用することが特徴である第１の手段と、
要介護認定審査会委員側端末から市役所要介護認定審査会事務局サーバにアクセスする際には要介護認定審査会委員毎に対応したユーザID とパスワード認証を行う仕組みを作成することが特徴である第２の手段と、
要介護認定審査会委員側端末と市役所要介護認定審査会事務局サーバが通信を行う際には、デジタル証明書などをつかって身元の確認を行った上で暗号化通信を行い、伝送される要介護認定審査資料データは文字や数値ではなく暗号化された画面情報が要介護認定審査会委員側端末に伝送されることで機密性と安全性を確保することが特徴である第３の手段と、
要介護認定審査会資料の予習や要介護認定審査会の開催及び審査判定の際には、要介護認定審査会事務局用サーバ上で表示されている要介護認定審査会資料の画面情報が各要介護認定審査会委員用端末のＷＷＷ（World Wide Web）ブラウザに送られて、要介護認定審査会資料が表示される仕組みを作成することが特徴である第４の手段と、
要介護認定審査資料ソフトやデータが要介護認定審査会事務局サーバ上で全て実行し保存されるため要介護認定審査資料の修正変更にたいしては各要介護認定審査会委員側端末に同時に同じ要介護認定審査会資料が表示され、要介護認定審査資料ソフトやデータは要介護認定審査会委員側端末にはないので端末側のプログラム修正の必要はなく、要介護認定審査会のペーパレス化を容易にする仕組みを作成することが特徴である第５の手段と、
フロッピィディスクやハードディスクなどの記録媒体やデータの取り出し方法を無くすことで要介護認定審査会委員宅側端末から個人情報等の漏洩がおこらない仕組みを作成することが特徴である第６の手段と、
要介護認定審査会関係データが保存できず要介護認定審査会関係ソフトも搭載されていない要介護認定審査会委員用端末をリモートコントロールしてネットワークを経由して市役所要介護認定審査会事務局サーバ上で要介護認定審査会関係データの保存や要介護認定審査会関係ソフトの実行表示を行うことが特徴である第７の手段と、
を含むことを特徴とする。
【０００６】
本発明では、要介護認定審査会資料の予習や要介護認定審査会の開催及び審査判定をするために、要介護認定審査会事務局サーバと要介護認定審査会委員宅側端末とをオープンなインターネットを経由させるよりは、閉じたネットワークである電話網などを利用して接続し、要介護認定審査会委員宅側端末のＷＷＷ（World Wide Web）ブラウザを用いて、要介護認定審査会事務局サーバにアクセスすることが可能となる。こうして閲覧した要介護認定審査会資料の予習を行うことで要介護認定審査会もよく検討された内容の濃いものとなり効率の良い要介護認定審査会業務を実施することができる。また、紙による要介護認定審査会資料の配布がないため、事務費や事務資源を節減し、地球環境保全に努め、市民の方々のよい要介護認定審査会を開催することができる。
【０００７】
本発明は、要介護認定審査会委員が要介護認定審査会資料の予習や要介護認定審査会の開催及び審査判定をネットワーク経由で行う機能をもっており、要介護認定審査会や要介護認定審査会で使用される要介護認定審査会資料を要介護認定情報データベースから引き出し要介護認定審査会事務局サーバ上で作成したあと、要介護認定審査会事務局サーバ上の画像データを要介護認定審査会委員端末に表示するとともに要介護認定結果や審査会意見についても全て要介護認定審査会事務局サーバ上に保存することを特徴とする。
【発明の効果】
【０００８】
本発明によれば、記録装置がない要介護認定情報データの取り出しや保存のできない要介護認定審査会委員端末の操作で要介護認定審査会資料の表示実行や要介護認定審査会関係データの記録保存の全てを市役所要介護認定事務局サーバで一元集中管理することで個人情報を取り扱う上での情報漏洩を防ぐことができる。そして市役所要介護認定審査会事務局を中心にしてセキュリティを向上させたネットワークを構築することで要介護審査会委員が自宅で要介護認定審査会に参加し、要介護認定審査会の審査判定審査会意見交換をおこない、結果集計をし、事前に要介護認定審査会資料の予習をすることができる。
【０００９】
また、本発明は介護保険制度における要介護認定審査会を行うにあたり、インターネットを経由しないネットワークを利用して、市役所要介護認定事務局サーバから要介護認定審査会委員宅端末に送られる要介護認定審査会資料データは文字や数値ではなく市役所要介護認定事務局サーバの画像情報であるようにし、市役所要介護認定事務局サーバと審査会委員宅端末がデジタル証明書により相互認証したあと暗号化を行い、通信の機密性を保つ。また市役所要介護認定事務局サーバにアクセスするには審査会委員毎に対応したID番号パスワード認証を行う仕組みを作成することを含むことを特徴とすることでセキュリティを確かなものにしている。
【００１０】
このように、個人情報を扱う上でのセキュリティを確保して、審査会委員の自宅の端末と市役所要介護認定事務局サーバ間を結んで要介護認定審査会を開催、審査判定し、事前の要介護認定審査会資料の予習をしたりする仕組みが実現され、介護保険制度の改正及び見直しおけるプログラム修正対応の際にも、ネットワークの中心である市役所要介護認定事務局サーバを修正するだけですべての審査会委員用端末にプログラム修正結果を即時に反映させ、審査会資料の修正に対してもリアルタイムで全ての審査会委員用端末に修正結果が伝えられる仕組みが実現できる。
【００１１】
こうした市役所要介護認定審査会事務局サーバと要介護審査会委員宅端末を結ぶネットワークの構築とペーパレス化によって、要介護認定審査会の事務効率は大きく向上するとともに経費・時間の節減ができ、事務資源の節減など地球環境に対する負荷の軽減を図ることができる。
【発明を実施するための最良の形態】
【００１２】
以下、本発明に係る実施の形態について説明する。図１はネットワークを介した一元集中管理のできるリモートコントロール型要介護認定審査会支援システム装置における要介護認定情報データベース用サーバＡ０１と要介護認定審査会事務局サーバＡ０２と要介護認定審査会委員端末Ａ０３の関係を示すブロック図である。
【００１３】
図２において、国が全国の自治体に配布した要介護認定ソフトで一次判定をする必要性から通常一箇所は設置されている要介護認定情報データベース_Ａ０１は、要介護認定審査会資料を作成するのためのデータ、要介護認定審査判定結果及び意見等などを保存するための機能をもっている。通信を主とする要介護認定審査会事務局用サーバとは別に設置される。
【００１４】
要介護認定審査会事務局サーバＡ０２は、要介護認定情報データベース_Ａ０1とＬＡＮなどの接続Ｌ1またはＭＯなどの記録媒体M1を介して接続され、各要介護認定審査会委員宅端末からネットワークを通じて操作があった場合にＡ０1に格納されている要介護認定情報を参照して要介護認定審査会事務局サーバＡ０２上で要介護認定審査会資料ソフトを実行表示した画面情報が伝送され要介護認定審査会結果や意見などの入力保存も要介護認定審査会事務局サーバＡ０２上にされる。このような各要介護認定審査会委員端末を一元集中制御するための中心サーバである。
【００１５】
要介護認定審査会委員用コンピュータＡ０３は、各審査会委員の自宅に設置されている、その構造はＷＷＷ（World Wide Web）ブラウザが搭載されており、フロッピィディスクやハードディスクなどの記録媒体を持たないものである。この要介護認定審査会委員用コンピュータＡ０３と要介護認定審査会事務局サーバＡ０２とは公衆網等のネットワークでつながっており、要介護認定情報データベース_Ａ０１にある要介護認定情報と要介護認定審査会資料作成ソフトで実行表示された要介護認定審査会事務局サーバＡ０２上の画面情報が要介護認定審査会委員用コンピュータＡ０３に表示され、要介護認定審査会委員用コンピュータＡ０３での操作は要介護認定審査会事務局サーバＡ０２上で実行される。
【００１６】
図３に示されるように要介護認定情報データベース部Ａ０１に登録される情報は、要介護認定審査対象者の個人情報全般にかかるものであり、一次判定結果など要介護認定調査関係の要介護認定調査テーブル_Ａ０１１や主治医意見書テーブル_Ａ０１２や要介護認定調査員の特記事項テーブル_Ａ０１３や審査会対象者テーブル_Ａ０１４や審査会スケジュールテーブル_Ａ０１５などを備えている。
各テーブルは、介護保険被保険者番号や要介護認定申請日などを基準に関連付けられている。そして、各要介護認定審査会に登録されている審査対象者の情報が各要介護認定審査会と審査会スケジュールに関連付けてまとめられ要介護認定審査会資料として表示できるよう格納されている。
【００１７】
要介護認定情報はデータ量が多いことから、要介護認定審査会資料作成プログラム_A０1１では、各要介護認定情報テーブルが要介護認定申請種別毎に、申請日と被保険者番号で関連付けてある。次に、要介護認定審査会委員毎に割り当てられたパスワードとＩＤでログイン認証したあと各要介護認定データベースから必要なデータを抽出し、要介護認定審査会資料を作成する。
【００１８】
要介護認定審査会データ送受信_A０1２では、作成された要介護認定審査会資料データを要介護認定審査会事務局サーバに送ったり、要介護認定審査会予習結果や審査判定結果や審査会意見などを要介護認定審査会事務局サーバから受け取ったりする。
【００１９】
図４に示されるように要介護認定審査会事務局サーバＡ０２は、要介護認定審査会委員用端末に対する通信プログラム_A０２１とユーザＩＤとパスワード認証プログラム_Ａ０２２と、要介護認定審査会資料審査会選択画面_A０２３と要介護認定審査会データ送受信_A０２４と事前に行う要介護認定審査会資料閲覧・予習結果登録画面_A０２５と要介護認定審査会資料予習結果登録保存プログラム_A０２６と要介護認定審査会資料閲覧・審査結果審査会意見登録画面_A０２７と要介護認定審査会審査結果審査会意見登録保存プログラム_A０２８とを備える。
【００２０】
要介護認定審査会委員用端末に対する通信プログラムＡ０２１は、要介護認定審査会委員用端末からのアクセスを受信し、ユーザＩＤとパスワード認証プログラムＡ０２２でユーザＩＤ、パスワード、デジタル証明書による相互認証、暗号化通信を行う。要介護認定審査会委員は、要介護認定審査会資料審査会選択画面Ａ０２３から要介護認定審査会資料を閲覧して予習結果を保存し要介護認定審査会の審査判定結果や審査会意見を入力する。要介護認定審査会データ送受信_A０２４は、要介護認定情報データベース部Ａ０１から要介護認定審査会資料データの送受信を促すものである。
事前に行う要介護認定審査会資料閲覧・予習結果登録画面Ａ０２５では要介護認定審査会資料を閲覧し予習結果を登録保存するための画面であり、要介護認定審査会資料予習結果登録保存プログラムＡ０２６で要介護認定審査会資料を閲覧し予習結果が登録保存される。
要介護認定審査会開催においての要介護認定審査会資料閲覧・審査結果審査会意見登録画面Ａ０２７では要介護認定審査会資料を閲覧し審査結果審査会意見を登録保存するための画面であり、要介護認定審査会審査結果審査会意見登録保存プログラムＡ０２８で要介護認定審査会資料を閲覧し審査結果審査会意見が登録保存される。
【００２１】
図５のように要介護認定審査会委員用コンピュータＡ０３は、表示する為のＷＷＷ（World Wide Web）ブラウザ画面Ａ０３1を備える。要介護認定審査会委員用コンピュータＡ０３には要介護認定審査会資料用ソフトや要介護認定審査会資料用データは搭載されていない為、ＷＷＷ（World
Wide Web）ブラウザを介した表示画面Ａ０３1を通じて、リモート操作することにより要介護認定審査会資料用ソフトの実行や要介護認定審査会資料用データの保存のすべてを要介護認定審査会事務局サーバ上で行う。要介護認定審査会委員側端末から要介護認定審査会事務局サーバにアクセスして要介護認定審査会資料情報を参照する際には、パスワードＩＤ認証とデジタル証明書による暗号化認証が行われる。
【００２２】
以上説明してきたように、本形態によれば、個人情報を取り扱う上で十分なセキュリティを確保した上で、市役所と要介護認定審査会委員宅を結んでネットワーク化を行い、予習用要介護認定審査会資料を閲覧し予習結果を要介護認定審査会事務局用サーバ上に記録保存し、要介護認定審査会を開催して審査会結果や審査会意見を要介護認定審査会事務局用サーバ上で記録保存できる仕組みを作り、要介護認定審査会資料等の修正変更も要介護認定審査会事務局用サーバ上のデータ修正をするだけでよく、更に介護保険制度の改正見直しや要介護認定審査会資料の修正変更のときにも要介護認定審査会委員用端末に個別のプログラム修正をおこなう必要が無いものであり、ネットワークの中心である要介護認定審査会事務局用サーバを修正するだけでよい仕組みを作ることで、要介護認定審査会事務局用サーバで要介護認定審査会委員用コンピュータの一元集中管理ができるネットワークを構築することが可能となり、紙を使わないペーパレス要介護認定審査会を促進することで地球環境保全に役立つことになる。
【００２３】
また、要介護認定審査会資料の予習結果や審査結果や審査会意見等は、各要介護認定審査会委員端末の操作でネットワークを介した要介護認定審査会事務局用サーバに登録されて要介護認定情報データベースに保存できる仕組みを提供することができ、要介護認定審査会で審査結果や予習結果として各審査会委員に集計情報を表示することができる。すべて要介護認定審査会事務局用サーバ上で行われる構造のためセキュリティを向上させた安全に要介護認定審査会を運用できる仕組みである。
【実施例】
【００２４】
例えば要介護認定審査会委員宅に設置する端末にはハードディスクの搭載されていないシンクライアント端末を用いる。ネットワークにはダイヤルアップ接続、ＩＳＤＮ、ＡＤＳＬ（ＮＴＴ回線しか経由しないもの）など、なるべくインターネットを経由しないものを用いる。市役所要介護認定審査会事務局サーバには、シンクライアントに対応したオペレーティングシステムを用いる。審査委員はサーバとシンクライアントにはＷＷＷブラウザが搭載されており、伝送時にはデジタル証明を利用して身元の確認、暗号化通信を行う。審査委員宅の端末に要介護認定審査会結果や認定審査会意見が入力されネットワークを通じて市役所サーバに保存がされていく。他の審査委員宅の端末には市役所サーバに保存された審査結果や審査意見が表示されていく。審査会資料の閲覧にはネットワークを通じてリモート操作で市役所サーバ上のソフトが実行されて閲覧できる。介護認定審査会情報やソフトについては市役所サーバ一箇所に全て保存、実行がされるため高いセキュリティが確保できる。審査委員端末には認定審査会データ保存がされないため端末の盗難、置き忘れ、データの取り出しなどができないため情報漏洩もおこらない。介護認定審査会資料を予習したり、開催したりする時には、審査会委員は在宅で操作する端末から市役所サーバ上で介護認定審査会を開催したり予習資料を閲覧しいたりすることが可能となる。
【産業上の利用可能性】
【００２５】
市役所などの自治体と審査会委員宅を結ぶネットワークは介護保険要介護認定審査会のＩＴ化に伴い必要度が増してきている。
ここで、企業の開発したシステムを使う自治体には特許料等の負担がかかっており、最終的に負担をかけることになるが、自治体が特許を取得することで関連企業からの利益を市民に還元することができる。
要介護認定関連企業が開発するシステムについては、全国の介護保険者が対象となるが、自治体の特許を公開する等の方法により、全国の自治体のシステム開発費用を圧縮することができ、全国ベースの公益に寄与できる。
【図面の簡単な説明】
【００２６】
【図１】図１は実施の形態であるネットワークを介した一元集中管理のできるリモートコントロール型要介護認定審査会支援システム装置の要介護認定情報データベース_Ａ０1と市役所要介護認定審査会事務局サーバ_Ａ０２と要介護認定審査会委員側端末_Ａ０３との関係を示すブロック図である。
【図２】図２は、要介護認定審査会を開催、審査判定し、事前の要介護認定審査会資料の予習をする各部の機能を示すブロック図である。
【図３】図３は、要介護認定情報データベース部_A01に焦点を当てた図である。
【図４】図４は、要介護認定審査会事務局サーバ_A02に焦点を当てた図である。
【図５】図５は、要介護認定審査会委員宅端末_A03に焦点を当てた図である。
【符号の説明】
【００２７】
Ａ０１      要介護認定情報データベース    
Ａ０２      市役所要介護認定審査会事務局サーバ          
Ａ０３      要介護認定審査会委員側端末        
Ｌ１        ＬＡＮ    
Ｍ１        ＭＯ
Ａ０１１    要介護認定審査会資料作成プログラム 
Ａ０１２    要介護認定審査会データ送受信
Ａ０２１    要介護認定審査会委員用端末に対する通信プログラム 
Ａ０２２    ユーザＩＤとパスワード認証プログラム 
Ａ０２３    要介護認定審査会資料審査会選択画面 
Ａ０２４    要介護認定審査会データ送受信 
Ａ０２５    事前に行う要介護認定審査会資料閲覧・予習結果登録画面 
Ａ０２６    要介護認定審査会資料予習結果登録保存プログラム 
Ａ０２７    要介護認定審査会資料閲覧・審査結果審査会意見登録画面 
Ａ０２８    要介護認定審査会審査結果審査会意見登録保存プログラム 
【図１】
2005327148.tif 000003
【図２】
2005327148.tif 000004
【図３】
2005327148.tif 000005
【図４】
2005327148.tif 000006
【図５】
2005327148.tif 000007